【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
接地プレートと、
前記接地プレートに対向して前記接地プレートから所定間隔離隔して形成される金属プレートと、
前記接地プレートと前記金属プレートとを接続する少なくとも１つの給電部及び接地部と、
前記接地プレートと前記金属プレートとの間に配置され、複数の接続端子を含む遮断部と、を含み、
前記接地プレート及び前記金属プレートは、前記複数の接続端子により第１部分と第２部分とが隔離され、
前記接地部は、前記接地プレートの縁部に沿って前記給電部からの距離が異なる地点に形成される第１及び第２接地部を含み、
前記少なくとも１つの給電部は、前記接地プレートの上部に配置される第１給電部、及び前記接地プレートの下部に配置される第２給電部を含み、
前記第１給電部と前記第２給電部の少なくとも一方が前記接地プレートの縁部に形成され、
前記第１部分に前記第１給電部及び前記第１接地部が形成され、前記第２部分に前記第２給電部及び前記第２接地部が形成される、アンテナモジュール。
【請求項２】
前記接地プレートから離隔して形成される導電部材と、
前記接地プレートに形成されて前記導電部材に給電する第３給電部と、
前記接地プレートに形成されて前記導電部材を接地する第３接地部と、をさらに含む、請求項１に記載のアンテナモジュール。
【請求項３】
前記第１及び第２給電部は、前記金属プレートに直接給電するか又は導電ラインもしくはパッチにより間接給電する、請求項２に記載のアンテナモジュール。
【請求項４】
前記第３給電部及び前記第３接地部にそれぞれマッチングモジュールが形成される、請求項２に記載のアンテナモジュール。
【請求項５】
前記接地プレートから離隔して形成される導電部材と、
前記導電部材と前記接地プレートとの間に配置されて前記導電部材に間接給電する第２導電部材と、
前記接地プレートに形成されて前記第２導電部材に給電する第３給電部と、
前記接地プレートに形成されて前記導電部材を接地する第３接地部とをさらに含む、請求項１に記載のアンテナモジュール。
【請求項６】
前記第３給電部及び前記第３接地部にそれぞれマッチングモジュールが形成される、請求項５に記載のアンテナモジュール。
【請求項７】
前記第１及び第２接地部と前記複数の接続端子の少なくとも一部は、集中定数素子を含む可変素子と前記可変素子に接続されるスイッチとにより、前記金属プレート及び前記接地プレートでの電気的長さが変化する、請求項１に記載のアンテナモジュール。
【請求項８】
接地プレートと、
前記接地プレートの一側に形成される導電部材と、
前記接地プレート及び前記導電部材に対向して前記接地プレート及び前記導電部材から所定間隔離隔して形成される金属プレートと、
前記接地プレートに形成されて前記導電部材に給電する給電部と、
前記金属プレートを接地する接地部と、
前記接地プレートと前記金属プレートとの間に配置され、複数の接続端子を含む遮断部と、を含み、
前記接地プレート及び前記金属プレートは、前記複数の接続端子により第１部分と第２部分とが隔離され、
前記導電部材と前記金属プレートとが少なくとも１地点で電気的に接続され、前記接地プレートの面積が前記金属プレートの面積より小さく、前記接地プレートと前記導電部材との間及び前記接地プレートと前記金属プレートとの間にスロットが形成される、アンテナモジュール。
【請求項９】
前記金属プレートは、前記接地プレート及び前記導電部材を覆う構造である、請求項８に記載のアンテナモジュール。
【請求項１０】
前記接地部は、集中定数素子を含む可変素子と前記可変素子に接続されるスイッチとにより、電気的長さが変化する、請求項８に記載のアンテナモジュール。
【請求項１１】
前記導電部材と前記接地プレートとは、前記導電部材又は前記接地プレートから突出した接続部により接続される、請求項８に記載のアンテナモジュール。
【請求項１２】
前記導電部材と前記接地プレートとは、互いに離隔して形成される第１及び第２スイッチにより選択的に接続される、請求項８に記載のアンテナモジュール。
【請求項１３】
前記導電部材と前記接地プレートとの間に第２導電部材が形成され、前記給電部が前記第２導電部材に直接給電し、前記第２導電部材が前記導電部材に間接給電する、請求項８に記載のアンテナモジュール。
【請求項１４】
前記接続部は、前記導電部材と前記接地プレートとの間に形成される突出部を含み、
前記突出部が１地点で前記金属プレートに電気的に接続され、
前記給電部にスイッチが接続されて前記突出部又は前記導電部材を選択的に接続する、請求項１１に記載のアンテナモジュール。
【請求項１５】
端末機本体と、
前記端末機本体内に形成されるアンテナモジュールとを含み、
前記アンテナモジュールは、
接地プレートと、
前記接地プレートに対向して前記接地プレートから所定間隔離隔して形成される金属プレートと、
前記接地プレートと前記金属プレートとを接続する給電部及び接地部と、
前記接地プレートと前記金属プレートとの間に配置され、複数の接続端子を含む遮断部と、を含み、
前記接地プレート及び前記金属プレートは、前記複数の接続端子により第１部分と第２部分とが隔離され、
前記接地部は、前記接地プレートの縁部に沿って前記給電部からの距離が異なる地点に形成される第１及び第２接地部を含む、移動端末機。
【請求項１６】
前記金属プレートが前記端末機本体を覆うカバーであり、前記接地プレートがプリント基板である、請求項１５に記載の移動端末機。
【請求項１７】
前記接地プレートから離隔して形成される導電部材と、
前記接地プレートに形成されて前記導電部材に給電する給電部と、
前記接地プレートに形成されて前記導電部材を接地する接地部と、をさらに含み、
前記導電部材は、前記端末機本体の側面内側に形成される、請求項１５に記載の移動端末機。
【請求項１８】
端末機本体と、
前記端末機本体内に形成されるアンテナモジュールと、を含み、
前記アンテナモジュールは、
接地プレートと、
前記接地プレートの一側に形成され、前記接地プレートに電気的に接続される導電部材と、
前記接地プレート及び前記導電部材に対向して前記接地プレート及び前記導電部材から所定間隔離隔して形成される金属プレートと、
前記接地プレートに形成されて前記導電部材に給電する給電部と、
前記金属プレートを接地する接地部と、
前記接地プレートと前記金属プレートとの間に配置され、複数の接続端子を含む遮断部と、を含み、
前記接地プレート及び前記金属プレートは、前記複数の接続端子により第１部分と第２部分とが隔離され、
前記導電部材と前記金属プレートとが少なくとも１地点で電気的に接続され、前記接地プレートと前記導電部材との間及び前記接地プレートと前記金属プレートとの間にスロットが形成される、移動端末機。
【請求項１９】
前記金属プレートが前記端末機本体を覆う背面カバーであり、前記接地プレートがプリント基板である、請求項１８に記載の移動端末機。
【請求項２０】
前記導電部材と前記接地プレートとは、前記導電部材又は前記接地プレートから突出した接続部により接続される、請求項１８に記載の移動端末機。
【請求項２１】
前記接続部は、前記導電部材と前記接地プレートとの間に形成される突出部を含み、
前記突出部が１地点で前記金属プレートに電気的に接続され、
前記給電部にスイッチが接続されて前記突出部又は前記導電部材を選択的に接続する、請求項２０に記載の移動端末機。
【請求項２２】
前記導電部材と前記接地プレートとは、互いに離隔して形成される第１及び第２スイッチにより選択的に接続される、請求項１８に記載の移動端末機。
【請求項２３】
前記導電部材と前記接地プレートとの間に第２導電部材が形成され、前記給電部が前記第２導電部材に直接給電し、前記第２導電部材が前記導電部材に間接給電する、請求項１８に記載の移動端末機。